(57)【要約】【課題】複数の連結を容易にする連結パネルとそれを用いた折り畳み式のゴミ収容器を提供する。【解決手段】パネル１０がパネル本体２０とコーナー連結体２２で構成され、パネル本体２０は略矩形の平板部１４と縦方向と横方向の辺の両端側に嵌め込み部１５を有し、パネル１０の４隅において、縦方向と横方向の嵌め込み部１５は軸方向が直交するＬ字状のコーナー連結体２２で挿脱自在に接続され、隣り合うパネル１０のコーナー連結体２２の縦方向部同士を内接して回動自在に軸受体２１を備え、隣り合うパネル１０が回動自在に連接できるようにした連結パネルとそれを用いた折り畳みゴミ収容器。【選択図】図１
2018080016.tif 000002
【特許請求の範囲】
【請求項１】
複数の矩形のパネル１０が、パネル本体２０とコーナー連結体２２で構成され、
正面視で、パネル本体２０は略矩形の平板部１４と、縦方向に平行な２辺及び横方向に平行な２辺の其々の両端側に、該辺方向に垂直な断面の内形が略円形の嵌め込み部１５を有し、
前記パネル本体２０の４隅において、各々の縦方向と横方向の前記嵌め込み部１５は軸方向が直交するＬ字状のコーナー連結体２２で接続され、
連設する隣り合うパネル１０の一対のコーナー連結体２２の対向する平行部同士が内接し回動自在に連結する軸受体２１を備えたことを特徴とする連結パネル。
【請求項２】
前記コーナー連結体２２は、軸方向が直交するＬ字状のコーナー部材２３と、其々該軸方向に備えた２個の丸棒状の挿入ピン２５（２５ａ，２５ｂ）で構成され、
コーナー部材２３の一方の軸方向に挿入ピン２５ａが固定されて、該挿入ピン２５ａが前記パネル本体２０の縦方向の嵌め込み部１５に挿入され、
又は、該挿入ピン２５ａが前記パネル本体２０の縦方向の嵌め込み部１５に固定されて、挿入ピン２５ａがコーナー部材２３の一方の軸方向に挿入され、
コーナー部材２３の他方の軸方向に挿脱自在に挿入ピン２５ｂを備え、該挿入ピン２５ｂが前記パネル本体２０の横方向の嵌め込み部１５に挿脱自在に挿入されることにより、
コーナー連結体２２がパネル本体２０に着脱自在に接続されることを特徴とする請求項１に記載の連結パネル。
【請求項３】
複数の前記パネル１０を地面に鉛直に立てて連結してできる空間にゴミＤを収納するゴミ収容器において、
前記パネル１０が、正面パネル１１、背面パネル１２、左右の側面パネル１３であって、各パネルで構成される上面の開口部Ａが、ゴミ収容時には、平面視で略矩形になるように構成され、
前記左右の其々の側面パネル１３が中央部で前後に等分された前側面パネル１３ａ、後側面パネル１３ｂで成り、
パネル格納時に、前記前側面パネル１３ａと後側面パネル１３ｂの連結部Ｃが内側に近接して折り畳まれるように構成されたことを特徴とする請求項１又は請求項２に記載の連結パネルで構成される折り畳みゴミ収容器。
【請求項４】
前記正面パネル１１、背面パネル１２、左右の側面パネル１３に加え、前記上面の開口部を覆う略矩形の上面パネル３０が備えられ、
該上面パネル３０は、折しろパネル３０ａと蓋パネル３０ｂに前後に分割されて構成され、
折しろパネル３０ａと背面パネル１２は背面パネル１２上辺に平行な其々対向する辺同志が回動自在に連結され、
蓋パネル３０ｂと折しろパネル３０ａは背面パネル１２上辺に平行な其々対向する辺同志が回動自在に連結され、
ゴミ収容時には、折しろパネル３０ａと蓋パネル３０ｂで成る上面パネル３０が平面視で前記矩形の開口部Ａを覆い、
パネル格納時に、折り畳まれた側面パネル１３と正面パネル１１を外側から縦方向に回動した蓋パネル３０ｂで覆うように構成されたことを特徴とする請求項３に記載の折り畳みゴミ収容器。
【発明の詳細な説明】
【技術分野】
【０００１】
複数のパネルを相互に連結する構造及びそれを用いた折り畳み式のゴミ収容器に関する。
【背景技術】
【０００２】
本発明の連結パネルに関して、複数のパネルを相互に連結する構造に関しての開示例がある。（例えば、特許文献１参照）
また、本発明の折り畳み式のゴミ収容器に関して、平板を連結して立方体を構成し、不必要時には折り畳んで収納する折り畳み式の例がある。（例えば、特許文献２参照）
【先行技術文献】
【特許文献】
【０００３】
【特許文献１】特開２００２−１７３９９２号公報
【特許文献２】特開平８−１３３４０２号公報
【発明の概要】
【発明が解決しようとする課題】
【０００４】
特許文献１において、パネル本体１は、上下横框２，３と左右縦框４，５とを矩形状に枠組みし、これを格子状に組まれた格子部材６を取り付けてなるもので、各横框２，３と各縦框４，５が交差するパネル本体１の隅角部には、コーナー部材７がパネル本体１と一体的に取り付けられている、とされている。また、コーナー部材７は、プラスチックで一体成形されたものでコーナー部材本体７ａと、この本体７ａから互いに直角を成すように突設された一対の取付け部７ｂ，７ｂとからなり、両取付部７ｂ，７ｂはパネル本体１の上横框３又は下横框４と左縦框４又は右縦框５とに夫々挿入されてビス等で固定される、とされている。従ってこれによると、コーナー部材７をパネルから着脱自在にする構造ではないので、例えば、コーナー部材７を利用して、コーナー部材７を内挿するように環状の連結部材を挿通又は非挿通して、この連結部材を着脱自在にするような利用には適さない。
【０００５】
また、特許文献１は、パネル本体１の四隅部に夫々、パネル本体１の上端面又は下端面に開口するシャフト差込用縦穴８とパネル本体１の左側端面又は右側端面に開口するシャフト差込用横穴９とを形成したコーナー部材７を取り付け、このコーナー部材７のシャフト差込用縦穴８又は横穴９に連結シャフト１０，１１，１２を差し込むことによって、パネル本体１どうしを連結するパネルの連結構造とされている。これによると、隣り合う２枚のパネルの連結は互いに平面であっても垂直であっても可能であるが、３枚のパネルが互いに垂直な構成の連結は連結シャフトが干渉しあうのでできない。
【０００６】
特許文献２には、基準板、正面板、片面２枚とした側板、上蓋、底板で構成され、其々の接続部にヒンジを設けた折り畳み式箱が記載されている。本文献の発明は、面部分を板材で構成しその接続部にヒンジを用いていて、各部材の製造及び組み立てにおいて自由度の乏しい箱物となっている。
本発明は、これらの課題を解決した連結パネル及びそれを利用したゴミ収容器を提供する。
【課題を解決するための手段】
【０００７】
上記の課題を解決するため、本発明は、
複数の矩形のパネル１０が、パネル本体２０とコーナー連結体２２で構成され、正面視で、パネル本体２０は略矩形の平板部１４と、縦方向に平行な２辺及び横方向に平行な２辺の其々の両端側に、該辺方向に垂直な断面の内形が略円形の嵌め込み部１５を有し、前記パネル本体２０の４隅において、各々の縦方向と横方向の前記嵌め込み部１５は軸方向が直交するＬ字状のコーナー連結体２２で接続され、連設する隣り合うパネル１０の一対のコーナー連結体２２の対向する平行部同士が内接し回動自在に連結する軸受体２１を備えたことを特徴とする連結パネルとする。
【０００８】
また、前記コーナー連結体２２は、軸方向が直交するＬ字状のコーナー部材２３と、其々該軸方向に備えた２個の丸棒状の挿入ピン２５（２５ａ，２５ｂ）で構成され、コーナー部材２３の一方の軸方向に挿入ピン２５ａが固定されて、該挿入ピン２５ａが前記パネル本体２０の縦方向の嵌め込み部１５に挿入され、又は、該挿入ピン２５ａが前記パネル本体２０の縦方向の嵌め込み部１５に固定されて、挿入ピン２５ａがコーナー部材２３の一方の軸方向に挿入され、コーナー部材２３の他方の軸方向に挿脱自在に挿入ピン２５ｂを備え、該挿入ピン２５ｂが前記パネル本体２０の横方向の嵌め込み部１５に挿脱自在に挿入されることにより、コーナー連結体２２がパネル本体２０に着脱自在に接続されることを特徴とする連結パネルとするのが好ましい。
【０００９】
また、複数の前記パネル１０を地面に鉛直に立てて連結してできる空間にゴミＤを収納するゴミ収容器において、前記パネル１０が其々略矩形の正面パネル１１、背面パネル１２、左右の側面パネル１３であって、各パネルで構成される上面の開口部Ａが、ゴミ収容時には、平面視で略矩形になるように構成され、前記左右の其々の側面パネル１３が中央部で前後に等分された前側面パネル１３ａ、後側面パネル１３ｂで成り、パネル格納時に、前記前側面パネル１３ａと後側面パネル１３ｂの連結部Ｃが内側に近接して折り畳まれるように構成されたことを特徴とする折り畳みゴミ収容器とするのが好ましい。
【００１０】
また、前記正面パネル１１、背面パネル１２、左右の側面パネル１３に加え、前記上面の開口部を覆う略矩形の上面パネル３０が備えられ、該上面パネル３０は、折しろパネル３０ａと蓋パネル３０ｂに前後に分割されて構成され、折しろパネル３０ａと背面パネル１２は背面パネル１２上辺に平行な其々対向する辺同志が回動自在に連結され、蓋パネル３０ｂと折しろパネル３０ａは背面パネル１２上辺に平行な其々対向する辺同志が回動自在に連結され、ゴミ収容時には、折しろパネル３０ａと蓋パネル３０ｂで成る上面パネル３０が平面視で前記矩形の開口部Ａを覆い、パネル格納時に、折り畳まれた側面パネル１３と正面パネル１１を外側から垂直方向に回動した蓋パネル３０ｂで覆うように構成されたことを特徴とする折り畳みゴミ収容器とするのが好ましい。
【発明の効果】
【００１１】
本発明によって、パネル１０の４隅にコーナー連結体２２を着脱容易に設けたので、コーナー連結体２２に装着される軸受体２１が着脱容易となり、複数のパネルを連結する際、隣り合うコーナー連結体２２を軸受体２１で着脱自在に連結することができ、パネルを容易に連結できる。
本発明の実施例として、パネル１０を連結する折り畳みゴミ収容器において、複数のパネルを容易に連結でき、ゴミ収容器を容易に組立することができる。
【図面の簡単な説明】
【００１２】
【図１】本発明のパネルの連結状態を示す説明図である。
【図２】パネル本体の説明図である。
【図３】コーナー連結体の説明図である。
【図４】連結部の説明図である。
【図５】連結部の説明図である。
【図６】実施例１の斜視図である。
【図７】実施例１の折り畳み状態の経過を示す説明図である。
【図８】実施例１の折り畳み状態の説明図である。
【図９】実施例２の斜視図である。
【図１０】実施例２の折り畳み状態の経過を示す説明図である。
【図１１】実施例２の折り畳み状態の説明図である。
【００１３】
本発明を実施するための形態について、図を用いて詳細に説明する。
本発明は、複数の矩形のパネル１０の辺同士を連結したり連結を解除したり自在にできるパネルに関する。
図１に本発明のパネル１０の基本的な構造を示す。パネル１０は、全体形状は略矩形として、パネル本体２０とコーナー連結体２２で構成される。図２にパネル本体２０を示す。パネル本体２０の中央部は略矩形の平板部１４として、正面視で、パネル本体２０周辺部の縦方向に平行な対向する２辺及び横方向に平行な対向する２辺の其々の両端側に、辺方向に垂直な断面の内形が略円形の嵌め込み部１５を設ける。辺には嵌め込み部１５に加え補強部１６を設ける。
【００１４】
補強部１６は平板部１４の曲がりや座屈を防止する補強目的の辺の構造であって、平板に比較して剛性を向上した形状であればよく一定の形状にこだわらない。剛性を有する円形や矩形、その組み合わせ、管状でもよい。ここでは、辺の両端側に内形が剛性の高い円形状の嵌め込み部１５としているので、両端側の嵌め込み部１５の間も連続して円形で形成してもよい。
【００１５】
パネル本体２０の材料についてもこだわらない。例えば、鉄やアルミニウムなどの金属板で形成する場合は中央部の平板部１４の板材を延伸して嵌め込み部１５及び補強部１６として管状に曲げて形成してもよいし、プラスチックなどの高分子材料を型を用いて形成する場合は自由な形状に形成することができる。中央部の平板部１４は単なる平板であっても、透過して目視するために編み目状や多数の孔１８を設けてもよい。ただしこれらの孔は、後述するようにパネル本体２０を用いてゴミ収容器とする場合は、鳥獣の侵入の被害を防ぐために適宜の大きさ以内とする。鳥獣がカラスなどの場合はその口ばしの侵入の阻止を考慮する。図１は鋼板を金型でパンチング成形した例で示す。図示しないが孔の組み合わせで自在なデザインも可能である。
【００１６】
つぎに、パネル本体２０の４隅に装着されるコーナー連結体２２について説明する。図３に示すように、コーナー連結体２２は、コーナー部材２３と断面外形が円形の適宜長さの丸棒状の挿入ピン２５（２５ａ、２５ｂ）で構成される。コーナー部材２３は軸方向が直交するＬ字状であって、一方の軸方向に固定された挿入ピン２５ａを設ける。挿入ピン２５ａはコーナー部材２３に挿入凹部２３ａを設けてこれに挿入しネジや接着などの固定手段で固定する。挿入ピン２５ａは挿入凹部２３ａを設けずにコーナー部材２３と一体で成形されてもよい。
図４に示すように、挿入ピン２５ａはパネル本体２０の嵌め込み部１５の一方である縦方向の嵌め込み部１５に挿入される。
また、前記の機能を有する方法として、該挿入ピン２５ａが前記パネル本体２０の縦方向の嵌め込み部１５に固定されて、この挿入ピン２５ａがコーナー部材２３の一方の軸方向に挿入されてもよい。
【００１７】
コーナー部材２３の直交する他方の軸方向に、丸棒状の挿入ピン２５ｂを挿脱自在にする内形が円形で適宜長さの挿入凹部２３ｂを設ける。
コーナー部材２３の挿入凹部２３ｂと他方の横方向の嵌め込み部１５との接続は挿入ピン２５ｂを介して行う。
図４に示すように、縦方向の嵌め込み部１５に挿入ピン２５ａを挿入した後、予め横方向の嵌め込み部１５に内挿していた挿入ピン２５ｂをスライドして挿入凹部２３ｂに挿入することによって、パネル本体２０にコーナー連結体２２が装着される。挿入ピン２５ｂはネジなどの締結手段（図示しない）によって嵌め込み部１５又はコーナー部材２３に固定される。
逆に分解する場合は、挿入ピン２５ｂをコーナー部材２３の挿入凹部２３ｂから脱して後、コーナー部材２３の挿入ピン２５ａ部を縦方向嵌め込み部から引き抜くことによって、コーナー連結体２２をパネル本体２０から分離することができる。
【００１８】
前記の説明において、固定された挿入ピン２５ａは縦方向、挿脱自在の挿入ピン２５ｂは横方向とした。パネル１０を地面に垂直にして組み立てる場合、これを逆に挿脱自在の挿入ピン２５ｂを縦方向とすると、挿入ピン２５ｂは自重により下方に脱落するので、これを配慮したものである。この配慮が不要な場合、例えばパネル面を水平に使用する場合は、固定された挿入ピン２５ａを横方向、挿脱自在の挿入ピン２５ｂを縦方向としても問題はない。
【００１９】
つぎに、パネルの連結について説明する。複数のパネルを連設する際、隣り合うパネルのコーナー連結体２２を繋げる軸受体２１を設ける。軸受体２１は、図５に示すように、隣り合うコーナー部材２３の対向する一対の垂直方向の部分同士又は、図４に示すように、挿入ピン２５の嵌め込み部１５への未挿入部同士を回動自在に内接して連結する。図４、図５に示すように、軸受体２１は、ぐらつかないように辺の両端側の２か所に設けるのがよい。
【００２０】
図４、図５に示すように、パネル本体２０の平板部１４の４隅に、コーナー連結体２２と軸受体２１の装着を妨げない空隙となるように切欠き１７を設ける。切欠き１７は、矩形の平板部１４の４隅に、縦方向と横方向の其々の辺に平行な適宜間隔で角から適宜長さのＬ字状の切欠きとする。コーナー連結体２２を装着した後の切欠き１７の空隙は、後述の実施例１のゴミ容器の場合は、鳥獣の侵入を阻止する適宜の大きさとする。実施例１の場合は軸受体２１は縦方向の辺にのみ使用されるので横方向の切欠きは不要だが、その他の使用例で矩形のパネルを横向きと縦向きに自在に使用する場合を考慮して、切欠きは縦方向と横方向の両方に設けるのが好ましい。
【００２１】
つぎに、図１のゴミ収容器の組立の手順を説明する。１対のコーナー連結体２２に軸受体２１を挿入して連結し、つぎに、其々の挿入ピン２５ａを隣り合うパネル本体２０の縦方向の嵌め込み部１５に其々挿入する。つぎに、横方向の嵌め込み部１５に内挿しておいた挿入ピン２５ｂをスライドしてコーナー部材２３の挿入凹部２３ｂに其々挿入する。これによって隣り合うパネル１０が軸受体２１で連結される。
同様に、縦方向の上下の他方のコーナー連結体２２を軸受体２１で連結する。挿入ピン２５ｂはネジなどの締結手段で固定する。このように、隣り合うパネル１０を順次連結することができる。
【実施例１】
【００２２】
つぎに、本発明のパネル１０を用いてゴミ収容器を構成した実施例１について説明する。図６〜図８に示すように、パネル１０が其々略矩形の正面パネル１１、背面パネル１２、左右の側面パネル１３（１３ａ、１３ｂ）であって、各パネルで構成される上面の開口部Ａが、ゴミ収容時には、平面視で略矩形になるように構成される。
前記左右の其々の側面パネル１３は中央部で前後に等分された前側面パネル１３ａ、後側面パネル１３ｂで成る。
図７は、パネル格納時の折り畳み状態の経過を示す説明図、図８は折り畳みの最終の状態を示す説明図であって、パネル格納時に、前記前側面パネルと後側面パネルの連結部Ｃが内側に近接して折り畳まれるように構成される。
【００２３】
使用時は図６示すように、連設したパネル１０を地面に立てて連結してできる空間に、ビニール袋等に入れられたゴミＤを収納する。上面の開口部Ａは鳥獣の侵入を防止するため、別途備えたネットＥなどで覆うのがよい。下面は地面である。
【実施例２】
【００２４】
つぎに、前記実施例１に加え、上面パネル３０を設けた実施例２について説明する。
図１０に示すように、前記の実施例１の正面パネル１１、背面パネル１２、左右の側面パネル１３に加え、前記上面の開口部を覆う略矩形の上面パネル３０を設ける。前記左右の其々の側面パネル１３は中央部で前後に等分された前側面パネル１３ａ、後側面パネル１３ｂで成る。上面パネル３０は、折しろパネル３０ａと蓋パネル３０ｂに前後に適宜大きさに分割されて構成される。
【００２５】
折しろパネル３０ａと背面パネル１２は、背面パネル１２上辺に平行な其々対向するコーナー連結体同士を軸受体２１を含む適宜連結手段で連結することにより、回動自在に連結される。蓋パネル３０ｂと折しろパネル３０ａは、背面パネル１２上辺に平行な其々対向するコーナー連結体同士を軸受体２１を含む適宜連結手段で連結することにより、回動自在に連結される。
【００２６】
つぎに、使用方法について説明する。ゴミ収容時の状態にするには、折しろパネルと蓋パネルで成る上面パネル３０を手前に引いて、平面視で前記矩形の開口部Ａを覆う。蓋パネルには前方中央など適宜の位置に取っ手３２を備えていて、ゴミ投入時に蓋パネルを引きあげたり、パネル格納時に蓋パネルを引き寄せるなどの操作に有効である。取っ手３２の形状、材料は特に問題としない。
【符号の説明】
【００２７】
１    実施例１の折り畳みゴミ収容器
２    実施例２の折り畳みゴミ収容器
１０  パネル
１１  正面パネル
１２  背面パネル
１３  側面パネル（左右）
１３ａ  前側面パネル
１３ｂ  後側面パネル
１４  平板部
１５  嵌め込み部
１６  補強部
１７  切欠き
１８  孔
２０  パネル本体
２１  軸受体
２２  コーナー連結体
２３  コーナー部材
２３ａ  挿入凹部（縦方向）
２３ｂ  挿入凹部（横方向）
２５  挿入ピン
２５ａ  挿入ピン（固定）
２５ｂ  挿入ピン（挿脱自在）
３０  上面パネル
３０ａ  折しろパネル
３０ｂ  蓋パネル
３２  取っ手
Ａ  上面開口部
Ｂ  底面開口部
Ｃ  側面パネル連結部
Ｄ  ゴミ
Ｅ  ネット
【図１】
2018080016.tif 000003
【図２】
2018080016.tif 000004
【図３】
2018080016.tif 000005
【図４】
2018080016.tif 000006
【図５】
2018080016.tif 000007
【図６】
2018080016.tif 000008
【図７】
2018080016.tif 000009
【図８】
2018080016.tif 000010
【図９】
2018080016.tif 000011
【図１０】
2018080016.tif 000012
【図１１】
2018080016.tif 000013
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
複数の矩形のパネル１０が、パネル本体２０とコーナー連結体２２で構成され、
正面視で、パネル本体２０は、略矩形の平板部１４と、
縦方向に平行な２辺及び横方向に平行な２辺の其々の両端側に、該辺方向に垂直な断面の内形が略円形に形成された嵌め込み部１５を有して、前記平板部１４と一体で成り、
前記嵌め込み部１５は、前記平板部１４の隅部を切り欠いて形成され、
前記パネル本体２０の４隅において、各々の縦方向と横方向の前記嵌め込み部１５は軸方向が直交するＬ字状のコーナー連結体２２で接続され、
連設する隣り合うパネル１０の一対のコーナー連結体２２の対向する平行部同士が内接し回動自在に連結する軸受体２１を備えたことを特徴とする連結パネル。
【請求項２】
前記コーナー連結体２２は、軸方向が直交するＬ字状のコーナー部材２３と、其々該軸方向に備えた２個の丸棒状の挿入ピン２５（２５ａ，２５ｂ）で構成され、
コーナー部材２３の一方の軸方向に挿入ピン２５ａが固定されて、該挿入ピン２５ａが前記パネル本体２０の縦方向の嵌め込み部１５に挿入され、
コーナー部材２３の他方の軸方向に挿脱自在に挿入ピン２５ｂを備え、前記パネル本体２０の横方向の嵌め込み部１５に予め内挿していた挿入ピン２５ｂをコーナー部材２３にスライドして挿入することにより、
コーナー連結体２２がパネル本体２０に着脱自在に接続され、
前記軸受体２１が、コーナー連結体２２によって嵌め込み部１５の軸方向に着脱自在に固定されることを特徴とする請求項１に記載の連結パネル。
【請求項３】
複数の前記パネル１０を地面に鉛直に立てて連結してできる空間にゴミＤを収納するゴミ収容器において、
前記パネル１０が、正面パネル１１、背面パネル１２、左右の側面パネル１３であって、各パネルで構成される上面の開口部Ａが、ゴミ収容時には、平面視で略矩形になるように構成され、
前記左右の其々の側面パネル１３が中央部で前後に等分された前側面パネル１３ａ、後側面パネル１３ｂで成り、
パネル格納時に、前記前側面パネル１３ａと後側面パネル１３ｂの連結部Ｃが内側に近接して折り畳まれるように構成されたことを特徴とする請求項１又は請求項２に記載の連結パネルで構成される折り畳みゴミ収容器。
【請求項４】
前記正面パネル１１、背面パネル１２、左右の側面パネル１３に加え、前記上面の開口部を覆う略矩形の上面パネル３０が備えられ、
該上面パネル３０は、折しろパネル３０ａと蓋パネル３０ｂに前後に分割されて構成され、
折しろパネル３０ａと背面パネル１２は背面パネル１２上辺に平行な其々対向する辺同志が回動自在に連結され、
蓋パネル３０ｂと折しろパネル３０ａは背面パネル１２上辺に平行な其々対向する辺同志が回動自在に連結され、
ゴミ収容時には、折しろパネル３０ａと蓋パネル３０ｂで成る上面パネル３０が平面視で前記矩形の開口部Ａを覆い、
パネル格納時に、折り畳まれた側面パネル１３と正面パネル１１を外側から縦方向に回動した蓋パネル３０ｂで覆うように構成されたことを特徴とする請求項３に記載の折り畳みゴミ収容器。
【手続補正２】
【補正対象書類名】明細書
【補正対象項目名】０００７
【補正方法】変更
【補正の内容】
【０００７】  上記の課題を解決するため、本発明は、複数の矩形のパネル１０が、パネル本体２０とコーナー連結体２２で構成され、正面視で、パネル本体２０は、略矩形の平板部１４と、縦方向に平行な２辺及び横方向に平行な２辺の其々の両端側に、該辺方向に垂直な断面の内形が略円形に形成された嵌め込み部１５を有して、前記平板部１４と一体で成り、前記嵌め込み部１５は、前記平板部１４の隅部を切り欠いて形成され、前記パネル本体２０の４隅において、各々の縦方向と横方向の前記嵌め込み部１５は軸方向が直交するＬ字状のコーナー連結体２２で接続され、連設する隣り合うパネル１０の一対のコーナー連結体２２の対向する平行部同士が内接し回動自在に連結する軸受体２１を備えたことを特徴とする連結パネルとする。
【手続補正３】
【補正対象書類名】明細書
【補正対象項目名】０００８
【補正方法】変更
【補正の内容】
【０００８】  前記コーナー連結体２２は、軸方向が直交するＬ字状のコーナー部材２３と、其々該軸方向に備えた２個の丸棒状の挿入ピン２５（２５ａ，２５ｂ）で構成され、コーナー部材２３の一方の軸方向に挿入ピン２５ａが固定されて、該挿入ピン２５ａが前記パネル本体２０の縦方向の嵌め込み部１５に挿入され、コーナー部材２３の他方の軸方向に挿脱自在に挿入ピン２５ｂを備え、前記パネル本体２０の横方向の嵌め込み部１５に予め内挿していた挿入ピン２５ｂをコーナー部材２３にスライドして挿入することにより、コーナー連結体２２がパネル本体２０に着脱自在に接続され、前記軸受体２１が、コーナー連結体２２によって嵌め込み部１５の軸方向に着脱自在に固定されることを特徴とする連結パネルとするのが好ましい。